【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１のカスケードレベル値に対応するバイト長を有する第１の近接場通信識別子、ＮＦＣＩＤ、中の衝突ビットを決定することと、
前記第１のカスケードレベル値に基づいてカスケードレベル衝突値を設定することと、
前記衝突ビットのための２つの可能な値のうちの１つの価値を選択することによって前記第１のＮＦＣＩＤから第２のＮＦＣＩＤを生成することと、
前記第２のＮＦＣＩＤに関連付けられたバイト長が第１のリモートＮＦＣデバイスに対して不完全なＮＦＣＩＤに帰着することを決定することと、
第２のカスケードレベル値を使用して前記第１のリモートＮＦＣデバイスに対応する、前記第２のＮＦＣＩＤのさらなる部分を取得することと、ここで、前記第２のカスケードレベル値は、前記第１のカスケードレベル値より長いバイト長のＮＦＣＩＤに対応する、
少なくとも１つの他のリモートＮＦＣデバイスが前記設定されたカスケードレベル衝突値に基づいてまだ識別されないことを決定することと、
第２のリモートＮＦＣデバイスに対応する第３のＮＦＣＩＤを取得することと
を備える方法。
【請求項２】
前記第１のカスケードレベル値を含む単一デバイス検出要求メッセージを送信することと、
前記第１のＮＦＣＩＤを含む単一デバイス検出応答メッセージを受信することと
をさらに備える、請求項１に記載の方法。
【請求項３】
前記第２のＮＦＣＩＤに関連付けられた前記バイト長が前記第１のリモートＮＦＣデバイスに対して前記不完全なＮＦＣＩＦに帰着すると前記決定することは、
前記第１のカスケードレベル値および前記第２のＮＦＣＩＤを含む単一デバイス検出要求メッセージを送信することと、
前記第２のＮＦＣＩＤを通じて識別された前記第１のリモートＮＦＣデバイスから単一デバイス検出応答メッセージを受信することと、
前記第２のＮＦＣＩＤおよび前記第１のカスケードレベル値を含む、選択要求メッセージを前記第１のリモートＮＦＣデバイスに送信することと、
前記第１のカスケードレベル値に基づく前記第２のＮＦＣＩＤが不完全であることを示す選択応答メッセージを前記第１のリモートＮＦＣデバイスから受信することと
をさらに備える、請求項１に記載の方法。
【請求項４】
前記第１のリモートＮＦＣデバイスに対応する前記第２のＮＦＣＩＤの前記さらなる部分を前記取得することは、
前記第２のカスケードレベル値を含む単一デバイス検出要求メッセージを送信することと、
前記第２のカスケードレベル値に対応するバイト長を持つ前記第２のＮＦＣＩＤを含む、単一デバイス検出応答メッセージを前記第１のリモートＮＦＣデバイスから受信することと、
前記第２のＮＦＣＩＤおよび第２のカスケードレベル値を含む、選択要求メッセージを前記第１のリモートＮＦＣデバイスに送信することと、
前記第２のカスケードレベル値に基づく前記第２のＮＦＣＩＤが完全であることを示す、選択応答メッセージを前記第１のリモートＮＦＣデバイスから受信することと、
前記第１のリモートＮＦＣデバイスのための識別子として前記第２のＮＦＣＩＤを記憶することと
をさらに備える、請求項１に記載の方法。
【請求項５】
前記第２のリモートＮＦＣデバイスに対応する前記第３のＮＦＣＩＤを前記取得することは、
前記第１のリモートＮＦＣデバイスにスリープ要求メッセージを送信することと、
前記第１のカスケードレベル値を含む単一デバイス検出要求メッセージを送信することと、
衝突を示さない、単一デバイス検出応答メッセージを前記第２のリモートＮＦＣデバイスから受信することと、
前記第１のカスケードレベル値に基づいて前記第３のＮＦＣＩＤを含む、選択要求メッセージを前記第２のリモートＮＦＣデバイスに送信することと、
前記第１のカスケードレベル値に基づく前記第３のＮＦＣＩＤが完全であることを示す、選択応答メッセージを前記第２のリモートＮＦＣデバイスから受信することと、
前記第２のリモートＮＦＣデバイスのための識別子として前記第３のＮＦＣＩＤを記憶することと
をさらに備える、請求項１に記載の方法。
【請求項６】
前記カスケードレベル衝突値をデフォルト設定にリセットすることをさらに備える、
請求項１に記載の方法。
【請求項７】
前記第１のカスケードレベル値は、４バイトのＮＦＣＩＤおよび７バイトのＮＦＣＩＤのうちの少なくとも１つに対応する、
請求項１に記載の方法。
【請求項８】
請求項１乃至７のいずれか１項に従う方法を実行するための命令を備える、コンピュータプログラム。
【請求項９】
１つまたは複数の近接場通信識別子、ＮＦＣＩＤ、を含み、１つまたは複数のカスケードレベル値に基づく１つまたは複数のＮＦＣベースのメッセージを受信するための手段と、
前記受信した１つまたは複数のＮＦＣベースのメッセージを処理するための手段と
を備え、前記処理するための手段は、
前記１つまたは複数のカスケードレベル値のうちの第１のカスケードレベル値に基づいて前記１つまたは複数のＮＦＣＩＤのうちの第１のＮＦＣＩＤ中の衝突ビットを決定することと、
前記第１のカスケードレベル値に基づいてカスケードレベル衝突値を設定することと、
前記衝突ビットのための２つの可能な値のうちの１つの値を選択することによって前記第１のＮＦＣＩＤから第２のＮＦＣＩＤを生成することと、
前記第２のＮＦＣＩＤに関連付けられたバイト長が第１のリモートＮＦＣデバイスに対して不完全なＮＦＣＩＤに帰着すると決定することと、
第２のカスケードレベル値を使用して前記第１のリモートＮＦＣデバイスに対応する、前記第２のＮＦＣＩＤのさらなる部分を取得することと、ここで、前記第２のカスケードレベル値は、前記第１のカスケードレベル値より長いバイト長のＮＦＣＩＤに対応する、
少なくとも１つの他のリモートＮＦＣデバイスが前記設定されたカスケードレベル衝突値に基づいてまだ識別されないことを決定することと、
第２のリモートＮＦＣデバイスに対応する第３のＮＦＣＩＤを取得することと
を行うように構成される、装置。
【請求項１０】
前記第１のカスケードレベル値を含む単一デバイス検出要求メッセージを送信するための手段をさらに備え、
前記受信するための手段は、
前記第１のＮＦＣＩＤを含む単一デバイス検出応答メッセージを受信することを行うようにさらに構成される、
請求項９に記載の装置。
【請求項１１】
前記第１のカスケードレベル値および前記第２のＮＦＣＩＤを含む単一デバイス検出要求メッセージを送信するための手段をさらに備え、前記受信するための手段と前記送信するための手段は、
前記第２のＮＦＣＩＤを通じて識別された、単一デバイス検出応答メッセージを前記第１のリモートＮＦＣデバイスから受信することと、
前記第２のＮＦＣＩＤおよび前記第１のカスケードレベル値を含む、選択要求メッセージを前記第１のリモートＮＦＣデバイスに送信することと、
前記第１のカスケードレベル値に基づく前記第２のＮＦＣＩＤが不完全であることを示す、選択応答メッセージを前記第１のリモートＮＦＣデバイスから送信することと
を行うようにさらに構成される、請求項９に記載の装置。
【請求項１２】
前記第２のカスケードレベル値を含む、単一デバイス検出要求メッセージを送信するための手段をさらに備え、前記受信するための手段と前記送信するための手段は、
前記第２のカスケードレベル値に対応するバイト長を持つ前記第２のＮＦＣＩＤを含む、単一デバイス検出応答メッセージを前記第１のリモートＮＦＣデバイスから受信することと、
前記第２のＮＦＣＩＤおよび前記第２のカスケードレベル値を含む、選択要求メッセージを前記第１のリモートＮＦＣデバイスに送信することと、
前記第２のカスケードレベル値に基づく前記第２のＮＦＣＩＤが完全であることを示す、選択応答メッセージを前記第１のリモートＮＦＣデバイスから受信することと
を行うようにさらに構成され、
前記第１のリモートＮＦＣデバイスのための識別子として前記第２のＮＦＣＩＤを記憶するための手段をさらに備える、
請求項９に記載の装置。
【請求項１３】
前記第１のリモートＮＦＣデバイスにスリープ要求メッセージを送信するための手段をさらに備え、前記受信するための手段と前記送信するための手段は、
前記第１のカスケードレベル値を含む単一デバイス検出要求メッセージを送信することと、
衝突を示さない、単一デバイス検出応答メッセージを前記第２のリモートＮＦＣデバイスから受信することと、
前記第１のカスケードレベル値に基づく前記第３のＮＦＣＩＤを含む、選択要求メッセージを前記第２のリモートＮＦＣデバイスに送信することと、
前記第１のカスケードレベル値に基づく前記第３のＮＦＣＩＤが完全であることを示す、選択応答メッセージを前記第２のリモートＮＦＣデバイスから受信することと
を行うようにさらに構成され、
前記第２のリモートＮＦＣデバイスのための識別子として前記第３のＮＦＣＩＤを記憶するための手段をさらに備える、
請求項９に記載の装置。
【請求項１４】
前記処理するための手段は、前記カスケードレベル衝突値をデフォルト設定にリセットするようにさらに構成される、
請求項９に記載の装置。
【請求項１５】
前記第１のカスケードレベル値は、４バイトのＮＦＣＩＤおよび７バイトのＮＦＣＩＤのうちの少なくとも１つに対応する、
請求項９に記載の装置。
【手続補正２】
【補正対象書類名】明細書
【補正対象項目名】００７１
【補正方法】変更
【補正の内容】
【００７１】
[0078]先の開示は例示的な態様および／または態様について論述しているが、説明された態様、および／または、特許請求の範囲によって定義されたような態様の範囲から逸脱することなく、本明細書において様々な変化および変更がなされうることが留意されるべきでる。さらに、説明された態様および／または態様の要素は、単数形で説明または請求されうるが、単数形への限定が明確に特定されていない場合、複数形が考慮される。加えて、任意の態様および／または態様のすべてまたは一部が、別途明記されていない限り、任意の他の態様および／または態様のすべてまたは一部とともに利用されうる。
以下に、本願出願の当初の特許請求の範囲に記載された発明を付記する。
［Ｃ１］
ワイヤレス通信の方法であって、
第１のカスケードレベル値に対応するバイト長を有する第１の近接場通信識別子（ＮＦＣＩＤ）中の衝突ビットを決定することと、
前記第１のカスケードレベル値に基づいてカスケードレベル衝突値を設定することと、
前記衝突ビットのための２つの可能な値のうちの１つの価値を選択することによって前記第１のＮＦＣＩＤから第２のＮＦＣＩＤを生成することと、
前記第２のＮＦＣＩＤに関連付けられたバイト長が第１のリモートＮＦＣデバイスに対して不完全なＮＦＣＩＤに帰着することを決定することと、
第２のカスケードレベル値を使用して前記第１のリモートＮＦＣデバイスに対応する、前記第２のＮＦＣＩＤのさらなる部分を取得することと、ここで、前記第２のカスケードレベル値は、前記第１のカスケードレベル値より長いバイト長のＮＦＣＩＤに対応する、
少なくとも１つの他のリモートＮＦＣデバイスが前記設定されたカスケードレベル衝突値に基づいてまだ識別されないことを決定することと、
第２のリモートＮＦＣデバイスに対応する第３のＮＦＣＩＤを取得することと
を備える方法。
［Ｃ２］
前記第１のカスケードレベル値を含む単一デバイス検出要求メッセージを送信することと、
前記第１のＮＦＣＩＤを含む単一デバイス検出応答メッセージを受信することと
をさらに備える、［Ｃ１］に記載の方法。
［Ｃ３］
前記第２のＮＦＣＩＤに関連付けられた前記バイト長が前記第１のリモートＮＦＣデバイスに対して前記不完全なＮＦＣＩＦに帰着すると前記決定することは、
前記第１のカスケードレベル値および前記第２のＮＦＣＩＤを含む単一デバイス検出要求メッセージを送信することと、
前記第２のＮＦＣＩＤを通じて識別された前記第１のリモートＮＦＣデバイスから単一デバイス検出応答メッセージを受信することと、
前記第２のＮＦＣＩＤおよび前記第１のカスケードレベル値を含む、選択要求メッセージを前記第１のリモートＮＦＣデバイスに送信することと、
前記第１のカスケードレベル値に基づく前記第２のＮＦＣＩＤが不完全であることを示す選択応答メッセージを前記第１のリモートＮＦＣデバイスから受信することと
をさらに備える、［Ｃ１］に記載の方法。
［Ｃ４］
前記第１のリモートＮＦＣデバイスに対応する前記第２のＮＦＣＩＤの前記さらなる部分を前記取得することは、
前記第２のカスケードレベル値を含む単一デバイス検出要求メッセージを送信することと、
前記第２のカスケードレベル値に対応するバイト長を持つ前記第２のＮＦＣＩＤを含む、単一デバイス検出応答メッセージを前記第１のリモートＮＦＣデバイスから受信することと、
前記第２のＮＦＣＩＤおよび第２のカスケードレベル値を含む、選択要求メッセージを前記第１のリモートＮＦＣデバイスに送信することと、
前記第２のカスケードレベル値に基づく前記第２のＮＦＣＩＤが完全であることを示す、選択応答メッセージを前記第１のリモートＮＦＣデバイスから受信することと、
前記第１のリモートＮＦＣデバイスのための識別子として前記第２のＮＦＣＩＤを記憶することと
をさらに備える、［Ｃ１］に記載の方法。
［Ｃ５］
前記第２のリモートＮＦＣデバイスに対応する前記第３のＮＦＣＩＤを前記取得することは、
前記第１のリモートＮＦＣデバイスにスリープ要求メッセージを送信することと、
前記第１のカスケードレベル値を含む単一デバイス検出要求メッセージを送信することと、
衝突を示さない、単一デバイス検出応答メッセージを前記第２のリモートＮＦＣデバイスから受信することと、
前記第１のカスケードレベル値に基づいて前記第３のＮＦＣＩＤを含む、選択要求メッセージを前記第２のリモートＮＦＣデバイスに送信することと、
前記第１のカスケードレベル値に基づく前記第３のＮＦＣＩＤが完全であることを示す、選択応答メッセージを前記第２のリモートＮＦＣデバイスから受信することと、
前記第２のリモートＮＦＣデバイスのための識別子として前記第３のＮＦＣＩＤを記憶することと
をさらに備える、［Ｃ１］に記載の方法。
［Ｃ６］
前記カスケードレベル衝突値をデフォルト設定にリセットすることをさらに備える、
［Ｃ１］に記載の方法。
［Ｃ７］
前記第１のカスケードレベル値は、４バイトのＮＦＣＩＤおよび７バイトのＮＦＣＩＤのうちの少なくとも１つに対応する、
［Ｃ１］に記載の方法。
［Ｃ８］
前記第２のカスケードレベル値は、７バイトのＮＦＣＩＤおよび１０バイトのＮＦＣＩＤのうちの少なくとも１つに対応する、
［Ｃ１］に記載の方法。
［Ｃ９］
前記カスケードレベル衝突値は、３つの利用可能な値を含み、前記３つの利用可能な値の各々は、異なるカスケードレベル値に関連付けられた衝突を示す、
［Ｃ１］に記載の方法。
［Ｃ１０］
前記第１のおよび第２のリモートＮＦＣデバイスは、ＮＦＣ−Ａ無線周波数（ＲＦ）技術を使用するように動作可能である、
［Ｃ１］に記載の方法。
［Ｃ１１］
第１のカスケードレベル値に対応するバイト長を有する第１の近接場通信識別子（ＮＦＣＩＤ）中の衝突ビットを決定することと、
前記第１のカスケードレベル値に基づいてカスケードレベル衝突値を設定することと、
前記衝突ビットのための２つの可能な値のうちの１つの価値を選択することによって前記第１のＮＦＣＩＤから第２のＮＦＣＩＤを生成することと、
前記第２のＮＦＣＩＤに関連付けられたバイト長が第１のリモートＮＦＣデバイスに対して不完全なＮＦＣＩＤに帰着すると決定することと、
第２のカスケードレベル値を使用して前記第１のリモートＮＦＣデバイスに対応する、前記第２のＮＦＣＩＤのさらなる部分を取得することと、ここで、前記第２のカスケードレベル値は、前記第１のカスケードレベル値より長いバイト長のＮＦＣＩＤに対応する、
少なくとも１つの他のリモートＮＦＣデバイスが前記設定されたカスケードレベル衝突値に基づいてまだ識別されないことを決定することと、
第２のリモートＮＦＣデバイスに対応する第３のＮＦＣＩＤを取得することと
を行うためのコードを備えるコンピュータ可読媒体を備える、
コンピュータプログラム製品。
［Ｃ１２］
前記コンピュータ可読媒体は、
前記第１のカスケードレベル値を含む単一デバイス検出要求メッセージを送信することと、
前記第１のＮＦＣＩＤを含む単一デバイス検出応答メッセージを受信することと
を行うためのコードをさらに備える、［Ｃ１１］に記載のコンピュータプログラム製品。
［Ｃ１３］
前記第２のＮＦＣＩＤに関連付けられた前記バイト長が前記第１のリモートＮＦＣデバイスに対して前記不完全なＮＦＣＩＦに帰着すると前記決定することを行うためのコードは、
前記第１のカスケードレベル値および前記第２のＮＦＣＩＤを含む単一デバイス検出要求メッセージを送信することと、
前記第２のＮＦＣＩＤを通じて識別された前記第１のリモートＮＦＣデバイスから単一デバイス検出応答メッセージを受信することと、
前記第２のＮＦＣＩＤおよび前記第１のカスケードレベル値を含む、選択要求メッセージを前記第１のリモートＮＦＣデバイスに送信することと、
前記第１のカスケードレベル値に基づく前記第２のＮＦＣＩＤが不完全であることを示す選択応答メッセージを前記第１のリモートＮＦＣデバイスから受信することと
を行うためのコードをさらに備える、［Ｃ１１］に記載のコンピュータプログラム製品。
［Ｃ１４］
前記第１のリモートＮＦＣデバイスに対応する前記第２のＮＦＣＩＤの前記さらなる部分を前記取得することを行うためのコードは、
前記第２のカスケードレベル値を含む単一デバイス検出要求メッセージを送信することと、
前記第２のカスケードレベル値に対応するバイト長を持つ前記第２のＮＦＣＩＤを含む、単一デバイス検出応答メッセージを前記第１のリモートＮＦＣデバイスから受信することと、
前記第２のＮＦＣＩＤおよび前記第２のカスケードレベル値を含む、選択要求メッセージを前記第１のリモートＮＦＣデバイスに送信することと、
前記第２のカスケードレベル値に基づく前記第２のＮＦＣＩＤが完全であることを示す、選択応答メッセージを前記第１のリモートＮＦＣデバイスから受信することと、
前記第１のリモートＮＦＣデバイスのための識別子として前記第２のＮＦＣＩＤを記憶することと
を行うためのコードをさらに備える、［Ｃ１１］に記載のコンピュータプログラム製品。
［Ｃ１５］
前記第２のリモートＮＦＣデバイスに対応する前記第３のＮＦＣＩＤを前記取得することを行うためのコードは、
前記第１のリモートＮＦＣデバイスにスリープ要求メッセージを送信することと、
前記第１のカスケードレベル値を含む単一デバイス検出要求メッセージを送信することと、
衝突を示さない、単一デバイス検出応答メッセージを前記第２のリモートＮＦＣデバイスから受信することと、
前記第１のカスケードレベル値に基づいて前記第３のＮＦＣＩＤを含む、選択要求メッセージを前記第２のリモートＮＦＣデバイスに送信することと、
前記第１のカスケードレベル値に基づく前記第３のＮＦＣＩＤが完全であることを示す、選択応答メッセージを前記第２のリモートＮＦＣデバイスから受信することと、
前記第２のリモートＮＦＣデバイスのための識別子として前記第３のＮＦＣＩＤを記憶することと
を行うためのコードをさらに備える、［Ｃ１１］に記載のコンピュータプログラム製品。
［Ｃ１６］
前記コンピュータ可読媒体は、
前記カスケードレベル衝突値をデフォルト設定にリセットすることを行うコードをさらに備える、
［Ｃ１１］に記載のコンピュータプログラム製品。
［Ｃ１７］
前記第１のカスケードレベル値は、４バイトのＮＦＣＩＤおよび７バイトのＮＦＣＩＤのうちの少なくとも１つに対応する、
［Ｃ１１］に記載のコンピュータプログラム製品。
［Ｃ１８］
前記第２のカスケードレベル値は、７バイトのＮＦＣＩＤおよび１０バイトのＮＦＣＩＤのうちの少なくとも１つに対応する、
［Ｃ１１］に記載のコンピュータプログラム製品。
［Ｃ１９］
前記カスケードレベル衝突値は、３つの利用可能な値を含み、前記３つの利用可能な値の各々は、異なるカスケードレベル値に関連付けられた衝突を示す、
［Ｃ１１］に記載のコンピュータプログラム製品。
［Ｃ２０］
前記第１のおよび第２のリモートＮＦＣデバイスは、ＮＦＣ−Ａ無線周波数（ＲＦ）技術を使用するように動作可能である、
［Ｃ１１］に記載のコンピュータプログラム製品。
［Ｃ２１］
１つまたは複数の近接場通信識別子（ＮＦＣＩＤ）を含み、１つまたは複数のカスケードレベル値に基づく１つまたは複数のＮＦＣベースのメッセージを受信するための手段と、
前記受信した１つまたは複数のＮＦＣベースのメッセージを処理するための手段と
を備え、前記処理するための手段は、
前記１つまたは複数のカスケードレベル値のうちの第１のカスケードレベル値に基づいて前記１つまたは複数のＮＦＣＩＤのうちの第１のＮＦＣＩＤ中の衝突ビットを決定することと、
前記第１のカスケードレベル値に基づいてカスケードレベル衝突値を設定することと、
前記衝突ビットのための２つの可能な値のうちの１つの値を選択することによって前記第１のＮＦＣＩＤから第２のＮＦＣＩＤを生成することと、
前記第２のＮＦＣＩＤに関連付けられたバイト長が第１のリモートＮＦＣデバイスに対して不完全なＮＦＣＩＤに帰着すると決定することと、
第２のカスケードレベル値を使用して前記第１のリモートＮＦＣデバイスに対応する、前記第２のＮＦＣＩＤのさらなる部分を取得することと、ここで、前記第２のカスケードレベル値は、前記第１のカスケードレベル値より長いバイト長のＮＦＣＩＤに対応する、
少なくとも１つの他のリモートＮＦＣデバイスが前記設定されたカスケードレベル衝突値に基づいてまだ識別されないことを決定することと、
第２のリモートＮＦＣデバイスに対応する第３のＮＦＣＩＤを取得することと
を行うように構成される、装置。
［Ｃ２２］
前記第１のカスケードレベル値を含む単一デバイス検出要求メッセージを送信するための手段をさらに備え、
前記受信するための手段は、
前記第１のＮＦＣＩＤを含む単一デバイス検出応答メッセージを受信することを行うようにさらに構成される、
［Ｃ２１］に記載の装置。
［Ｃ２３］
前記第１のカスケードレベル値および前記第２のＮＦＣＩＤを含む単一デバイス検出要求メッセージを送信するための手段をさらに備え、前記受信するための手段と前記送信するための手段は、
前記第２のＮＦＣＩＤを通じて識別された、単一デバイス検出応答メッセージを前記第１のリモートＮＦＣデバイスから受信することと、
前記第２のＮＦＣＩＤおよび前記第１のカスケードレベル値を含む、選択要求メッセージを前記第１のリモートＮＦＣデバイスに送信することと、
前記第１のカスケードレベル値に基づく前記第２のＮＦＣＩＤが不完全であることを示す、選択応答メッセージを前記第１のリモートＮＦＣデバイスから送信することと
を行うようにさらに構成される、［Ｃ２１］に記載の装置。
［Ｃ２４］
前記第２のカスケードレベル値を含む、単一デバイス検出要求メッセージを送信するための手段をさらに備え、前記受信するための手段と前記送信するための手段は、
前記第２のカスケードレベル値に対応するバイト長を持つ前記第２のＮＦＣＩＤを含む、単一デバイス検出応答メッセージを前記第１のリモートＮＦＣデバイスから受信することと、
前記第２のＮＦＣＩＤおよび前記第２のカスケードレベル値を含む、選択要求メッセージを前記第１のリモートＮＦＣデバイスに送信することと、
前記第２のカスケードレベル値に基づく前記第２のＮＦＣＩＤが完全であることを示す、選択応答メッセージを前記第１のリモートＮＦＣデバイスから受信することと
を行うようにさらに構成され、
前記第１のリモートＮＦＣデバイスのための識別子として前記第２のＮＦＣＩＤを記憶するための手段をさらに備える、
［Ｃ２１］に記載の装置。
［Ｃ２５］
前記第１のリモートＮＦＣデバイスにスリープ要求メッセージを送信するための手段をさらに備え、前記受信するための手段と前記送信するための手段は、
前記第１のカスケードレベル値を含む単一デバイス検出要求メッセージを送信することと、
衝突を示さない、単一デバイス検出応答メッセージを前記第２のリモートＮＦＣデバイスから受信することと、
前記第１のカスケードレベル値に基づく前記第３のＮＦＣＩＤを含む、選択要求メッセージを前記第２のリモートＮＦＣデバイスに送信することと、
前記第１のカスケードレベル値に基づく前記第３のＮＦＣＩＤが完全であることを示す、選択応答メッセージを前記第２のリモートＮＦＣデバイスから受信することと
を行うようにさらに構成され、
前記第２のリモートＮＦＣデバイスのための識別子として前記第３のＮＦＣＩＤを記憶するための手段をさらに備える、
［Ｃ２１］に記載の装置。
［Ｃ２６］
前記処理するための手段は、前記カスケードレベル衝突値をデフォルト設定にリセットするようにさらに構成される、
［Ｃ２１］に記載の装置。
［Ｃ２７］
前記第１のカスケードレベル値は、４バイトのＮＦＣＩＤおよび７バイトのＮＦＣＩＤのうちの少なくとも１つに対応する、
［Ｃ２１］に記載の装置。
［Ｃ２８］
前記第２のカスケードレベル値は、７バイトのＮＦＣＩＤおよび１０バイトのＮＦＣＩＤのうちの少なくとも１つに対応する、
［Ｃ２１］に記載の装置。
［Ｃ２９］
前記カスケードレベル衝突値は、３つの利用可能な値を含み、前記３つの利用可能な値の各々は、異なるカスケードレベル値に関連付けられた衝突を示す、
［Ｃ２１］に記載の装置。
［Ｃ３０］
前記第１のおよび第２のリモートＮＦＣデバイスは、ＮＦＣ−Ａ無線周波数（ＲＦ）技術を使用するように動作可能である、
［Ｃ２１］に記載の装置。
［Ｃ３１］
トランシーバと、
メモリと、
前記メモリに接続されるプロセッサと、
前記メモリまたはプロセッサのうちの少なくとも１つに接続されるＮＦＣ衝突解決モジュールと
を備え、前記ＮＦＣ衝突解決モジュールは、
第１のカスケードレベル値に対応するバイト長を有する第１の近接場通信識別子（ＮＦＣＩＤ）中の衝突ビットを決定することと、
前記第１のカスケードレベル値に基づいてカスケードレベル衝突値を設定することと、
前記衝突ビットのための２つの可能な値のうちの１つの価値を選択することによって前記第１のＮＦＣＩＤから第２のＮＦＣＩＤを生成することと、
前記第２のＮＦＣＩＤに関連付けられたバイト長が第１のリモートＮＦＣデバイスに対して不完全なＮＦＣＩＤに帰着すると決定することと、
第２のカスケードレベル値を使用して前記第１のリモートＮＦＣデバイスに対応する、前記第２のＮＦＣＩＤのさらなる部分を取得することと、ここで、前記第２のカスケードレベル値は、前記第１のカスケードレベル値より長いバイト長のＮＦＣＩＤに対応する、
少なくとも１つの他のリモートＮＦＣデバイスが前記設定されたカスケードレベル衝突値に基づいてまだ識別されないことを決定することと、
第２のリモートＮＦＣデバイスに対応する第３のＮＦＣＩＤを取得することと
を行うように構成される、
装置。
［Ｃ３２］
前記トランシーバは、
前記第１のカスケードレベル値を含む単一デバイス検出要求メッセージを送信することと、
前記第１のＮＦＣＩＤを含む単一デバイス検出応答メッセージを受信することと
を行うようにさらに構成される、［Ｃ３１］に記載の装置。
［Ｃ３３］
前記トランシーバは、
前記第１のカスケードレベル値および前記第２のＮＦＣＩＤを含む単一デバイス検出要求メッセージを送信することと、
前記第２のＮＦＣＩＤを通じて識別された前記第１のリモートＮＦＣデバイスから単一デバイス検出応答メッセージを受信することと、
前記第２のＮＦＣＩＤおよび前記第１のカスケードレベル値を含む、選択要求メッセージを前記第１のリモートＮＦＣデバイスに送信することと、
前記第１のカスケードレベル値に基づく前記第２のＮＦＣＩＤが不完全であることを示す、選択応答メッセージを前記第１のリモートＮＦＣデバイスから受信することと
を行うようにさらに構成される、［Ｃ３１］に記載の装置。
［Ｃ３４］
前記トランシーバは、
前記第２のカスケードレベル値を含む、単一デバイス検出要求メッセージを送信することと、
前記第２のカスケードレベル値に対応するバイト長を持つ前記第２のＮＦＣＩＤを含む、単一デバイス検出応答メッセージを前記第１のリモートＮＦＣデバイスから受信することと、
前記第２のＮＦＣＩＤおよび前記第２のカスケードレベル値を含む、選択依頼メッセージを前記第１のリモートＮＦＣデバイスに送信することと、
前記第２のカスケードレベル値に基づく前記第２のＮＦＣＩＤが完全であることを示す、選択応答メッセージを前記第１のリモートＮＦＣデバイスから受信することと
を行うようにさらに構成され、
前記メモリは、前記第１のリモートＮＦＣデバイスのための識別子として前記第２のＮＦＣＩＤを記憶することを行うようにさらに構成される、
［Ｃ３１］に記載の装置。
［Ｃ３５］
前記トランシーバは、
前記第１のリモートＮＦＣデバイスにスリープ要求メッセージを送信することと、
前記第１のカスケードレベル値を含む単一デバイス検出要求メッセージを送信することと、
衝突を示さない、単一デバイス検出応答メッセージを前記第２のリモートＮＦＣデバイスから受信することと、
前記第１のカスケードレベル値に基づいて前記第３のＮＦＣＩＤを含む、選択要求メッセージを前記第２のリモートＮＦＣデバイスに送信することと、
前記第１のカスケードレベル値に基づく前記第３のＮＦＣＩＤが完全であることを示す、選択応答メッセージを前記第２のリモートＮＦＣデバイスから受信することと
を行うようにさらに構成され、
前記メモリは、前記第２のリモートＮＦＣデバイスのための識別子として前記第３のＮＦＣＩＤを記憶することを行うようにさらに構成される、
［Ｃ３１］に記載の装置。
［Ｃ３６］
前記ＮＦＣ衝突解決モジュールは、
前記カスケードレベル衝突値をデフォルト設定にリセットすることを行うようにさらに構成される、
［Ｃ３１］に記載の装置。
［Ｃ３７］
前記第１のカスケードレベル値は、４バイトのＮＦＣＩＤおよび７バイトのＮＦＣＩＤのうちの少なくとも１つに対応する、
［Ｃ３１］に記載の装置。
［Ｃ３８］
前記第２のカスケードレベル値は、７バイトのＮＦＣＩＤおよび１０バイトのＮＦＣＩＤのうちの少なくとも１つに対応する、
［Ｃ３１］に記載の装置。
［Ｃ３９］
前記カスケードレベル衝突値は、３つの利用可能な値を含み、前記３つの利用可能な値の各々は、異なるカスケードレベル値に関連付けられた衝突を示す、
［Ｃ３１］に記載の装置。
［Ｃ４０］
前記第１のおよび第２のリモートＮＦＣデバイスは、ＮＦＣ−Ａ無線周波数（ＲＦ）技術を使用するように動作可能である、
［Ｃ３１］に記載の装置。